(57)【要約】【課題】従来のケアレーベルにおけるような追加の工程を必要とすることなく、ケアレーベルが付けられた着衣を着用する際や着用者が動いている際の着用者の不快感を完全に解消すること。【解決手段】本考案によるケアレーベル１には、直線ＣＬについて対称な形状の一以上のアール部１５，１６が設けられている。ケアレーベル１には、全ての隅角部分にそれぞれアール部１１〜１４が設けられていてもよい。また、ケアレーベル１は、直線ＣＬが通過する部分に折り目が付けられたものであってもよい。【選択図】図１
0003107584.tif 000002
【実用新案登録請求の範囲】
【請求項１】
直線について対称な形状の一以上のアール部が設けられたケアレーベル。
【請求項２】
全ての隅角部分にそれぞれアール部が設けられた、請求項１に記載のケアレーベル。
【請求項３】
前記直線が通過する部分に折り目が付けられた、請求項１又は２に記載のケアレーベル。
【請求項４】
前記直線が通過する部分において二つ折りにされた、請求項１又は２に記載のケアレーベル。
【請求項５】
全てのアール部が超音波カットにより形成された、請求項１乃至４のいずれかに記載のケアレーベル。
【請求項６】
全ての切断面が超音波カットにより形成された、請求項１乃至５のいずれかに記載のケアレーベル。
【考案の詳細な説明】
【技術分野】
【０００１】
本考案は、下着やワイシャツなどに付けられる、サイズや商標などを表示するためのケアレーベルに関する。
【背景技術】
【０００２】
一般に、下着やワイシャツなどの着衣には、洗濯適合の表示やサイズなどを表示したケアレーベルが付けられている。ケアレーベルは一般に洗濯ネームとも呼ばれ、商品のブランド、サイズ、体形、洗濯絵表示、品質又は原産地などのほか、デメリット表示又は製造物責任法に基づく注意書きなどを表記するためのものをいう。
【０００３】
ケアレーベルは、短冊状布帛の両面に表示部をプリントした後、その片側を着衣に縫着又は溶着して用いられる。表記内容が多い場合には、２枚のケアレーベルを縫着又は溶着したり、１枚の比較的長いケアレーベルを二つ折りにして着衣に縫着又は溶着している。
【０００４】
従来のケアレーベルは、長尺のラベル用の布地又はポリエステル布帛を短冊状にカットしたものであり、その隅角部分には何の処理も施されていないため角張ったものであった。この隅角部分は尖鋭であるため、ケアレーベルが付けられた着衣を着用する際や着用者が動いている最中に着用者の肌に刺さり、着用者に不快感を与えていた。
【０００５】
上記問題を解決するため、実用新案登録第３０９８３３８号公報は、図３に示すような隅角部分に超音波カットしてなるアール部を形成したケアレーベルを開示している。しかし、図３のケアレーベルにおいては、隅角部分にはそれぞれアール部が形成されているものの、縫着又は溶着される折り曲げられた箇所の隅角部分Ａ，Ｂは尖鋭であるため、着用者の不快感を完全には解消できないという問題が残っていた。また、着用者の不快感を解消するために、隅角部分Ａ，Ｂが隠れるようにケアレーベルを折り曲げて縫着又は溶着を行う場合には、製品の生産時間に大きな影響を与える追加の工程が必要となっていた。
【特許文献１】実用新案登録第３０９８３３８号公報
【考案の開示】
【考案が解決しようとする課題】
【０００６】
本考案が解決しようとする課題は、従来のケアレーベルにおけるような追加の工程を必要とすることなく、ケアレーベルが付けられた着衣を着用する際や着用者が動いている際の着用者の不快感を完全に解消することである。
【課題を解決するための手段】
【０００７】
本考案によるケアレーベルは、直線について対称な形状の一以上のアール部が設けられたケアレーベルであることにより、上記課題を解決する。
【０００８】
前記ケアレーベルは、全ての隅角部分にそれぞれアール部が設けられたものであってもよい。
【０００９】
前記ケアレーベルは、前記直線が通過する部分に折り目が付けられたものであってもよい。
【００１０】
前記ケアレーベルは、前記直線が通過する部分において二つ折りにされたものであってもよい。
【００１１】
前記ケアレーベルは、全てのアール部が超音波カットにより形成されたものであってもよい。
【００１２】
前記ケアレーベルは、全ての切断面が超音波カットにより形成されたものであってもよい。
【考案の効果】
【００１３】
本考案のケアレーベルによれば、折り曲げられた箇所の隅角部分が着用者の肌に刺さることがないため、ケアレーベルによる着用者の不快感を完全に解消することができる。特に、本考案を肌の弱い幼児用下着に適用した場合には、ケアレーベルによる擦過傷の発生をより完全に防止することができる。また、従来のケアレーベルについて必要であった着用者の不快感を解消するための追加の工程が不要になるため、ケアレーベルを付けた被服の生産に必要な時間を短縮することができる。
【考案を実施するための最良の形態】
【００１４】
以下、図面を参照しながら本考案の実施の形態について説明する。
【実施例１】
【００１５】
図１は、本考案の一実施例によるケアレーベル１を示す平面図である。ケアレーベル１の材質は、合成繊維若しくは天然繊維製の布地、ゴム又は合成樹脂等であるが、好適には白色のポリエステル糸で織った扁平な帯状の布帛からなる織物生地である。また、通常ケアレーベルの片面又は両面には、青色、赤色又は黒色等のインクによりプリントされた表示部分が存在するが、説明の簡易化のため図１においては表示部分を省略している。
【００１６】
ケアレーベル１は、長方形の短冊の一部を切り落として円弧状のアール部１１〜１６が形成された形状を有している。ケアレーベル１は一定の厚さを有するものであるが、ここでは便宜上平面としてケアレーベル１の形状を説明する。
【００１７】
アール部１１〜１４は、ケアレーベル１の隅角部分を円弧状に面取りしたものである。アール部１５は、ケアレーベル１の上辺の一部を切り落としたものであり、ケアレーベル１の上辺及び下辺に直交する直線である補助線ＣＬについて対称な二つの円弧状の面取りがなされている。同様に、アール部１６は、ケアレーベル１の下辺の一部を切り落としたものであり、補助線ＣＬについて対称な二つの円弧状の面取りがなされている。このように、ケアレーベル１においては、全ての隅角部分に円弧状のアール部が形成されている。なお、補助線ＣＬは、ケアレーベル１の上辺及び下辺に直交するのであればどの位置にあってもよいが、好適にはケアレーベル１の上辺の中点及び下辺の中点をそれぞれ通る。
【００１８】
ケアレーベル１の寸法は任意であるが、例えば長辺が約９０ｍｍ、短辺が約１５ｍｍであり、アール部１１〜１６は、それぞれ半径φが約２ｍｍの円弧状に面取りされている。なお、ケアレーベル１の寸法がケアレーベルの材料や織り方（例えばサテン、タフタ等）、受注サイズなどに応じて変更可能であることは自明である。
【００１９】
ケアレーベル１の製造方法は任意であるが、例えば次のように製造される。幅１５ｍｍの長尺なリボン状の織物生地に表示部分をプリントした後、約９０ｍｍの間隔で超音波カットし、さらに超音波カットによりアール部１１〜１６を形成する。超音波カットによって、アール部１１〜１６の肌触りを良くし、アール部１１〜１６における糸のほつれを防止することができる。なお、ケアレーベル１の製造には、予めアール部を有するリボン状の織物生地を使用してもよい。
【００２０】
前段においては超音波カットにより全ての切断面及びアール部を形成する方法を説明したが、ケアレーベル１の製造にはコールドカットも使用され得る。具体的には、（１）切断面を超音波カットにより形成し、アール部をコールドカットにより形成する方法と、（２）全ての切断面及びアール部をコールドカットにより形成する方法が存在する。
【実施例２】
【００２１】
図１において、ケアレーベル１の製造段階において補助線ＣＬの通過する部分に折り目（折りけ）を付けておいてもよい。前記折り目の形成は、超音波カット又はコールドカットと同様の方法により、鋭利でない刃を使用して行われ得る。後述の通り、ケアレーベル１は二つ折りにされた状態で被服に付けられるため、予め製造段階において折り目を付けておくことにより、作業時間の短縮及びずれ・歪み・ねじれの防止を図ることができる。
【実施例３】
【００２２】
図２は、ケアレーベル１が補助線ＣＬにおいて二つ折りにされた状態を示す図である。ケアレーベル１は二つ折りにされた状態で被服に付けられるため、ケアレーベル１の製造段階において予め二つ折りにしておくこともできる。ケアレーベル１を予め二つ折りにすることにより、作業時間の短縮及びずれ・歪み・ねじれの防止を図ることができる。また、二つ折りにされたケアレーベル１は半分の大きさの二枚のケアレーベルと同等の内容を表示することができるにもかかわらず、二枚のケアレーベルを貼り合わせる手間は除外されている。
【００２３】
ケアレーベル１は、縫着部２０において被服に縫着又は溶着される。図２に示される通り、ケアレーベル１のアール部１５，１６は補助線ＣＬにおいて二つ折りにされることによってそれぞれ一つの円弧を形成する。これは、アール部１５，１６がそれぞれ補助線ＣＬについて対称な二つの円弧から構成されていることによる。図２の状態においてアール部１５，１６が被服の着用者に触れたとしても着用者の肌に刺さることはないため、従来のケアレーベルとは異なり着用者に不快感を感じさせることはない。すなわち、ケアレーベル１を縫着部２０において被服に縫着又は溶着した場合には、ケアレーベルの隅角部分の飛び出しによる肌当たり面への異物感・チクチク感が除外されているといえる。
【００２４】
以上の説明においては、ケアレーベル１が補助線ＣＬにおいて折り曲げられた際に、アール部１５，１６がそれぞれ一つの円弧を形成することを前提とした。しかしながら、アール部１５，１６は、補助線ＣＬについて対称な形状であれば、ケアレーベル１が補助線ＣＬにおいて折り曲げられた際に、複数の円弧や多角形など、着用者の肌に刺さらない他の曲線状の形状を形成するものであってもよい。
【００２５】
さらに、本考案によるケアレーベルの形状は図１及び図２に示したものに限られず、ケアレーベル上を通過する直線について対称な形状のアール部が形成されたものであれば、いかなる形状であってもよい。例えば、アール部１３，１４間のようなケアレーベル１の切断面（各辺）が曲線であってもよい。これは、前記直線上においてケアレーベルを二つ折りにすることにより、前記アール部がケアレーベルを付けた被服の着用者の肌に刺さらなくなるからである。
【００２６】
本考案によるケアレーベルは、スポーツウェア、肌着など、肌に直接触れる被服用の洗濯ネームその他のネームタグとしての使用に適している。また、本考案によるケアレーベルは、タオル、ハンカチなど、人体に触れる被服以外の布製品、合成樹脂製品等にも適用することができる。
【産業上の利用可能性】
【００２７】
被服、タオル等の布製品のケアレーベルに適用することができる。特に、直接肌に接することの多い肌着類のケアレーベルに適用することができる。
【図面の簡単な説明】
【００２８】
【図１】本考案の一実施例によるケアレーベルを示す平面図である。
【図２】本考案のケアレーベルが補助線において二つ折りにされた状態を示す図である。
【図３】従来のケアレーベルが二つ折りにされた状態を示す図である。
【符号の説明】
【００２９】
１    ケアレーベル
１１，１２，１３，１４，１５，１６  アール部
２０  縫着部
Ａ，Ｂ  隅角部分
ＣＬ  補助線
【図１】
0003107584.tif 000003
【図２】
0003107584.tif 000004
【図３】
0003107584.tif 000005